(57)【要約】【課題】複数個のカメラ映像を同時に切り替えて表示させ、かつ、表示順番及び切り替え間隔時間の変更を簡単に行い得る遠隔映像監視システムの提供。【解決手段】上記課題は、表示設定画面１７とカメラ映像表示画面１８を表示する表示手段１１と、各監視装置１〜１Ｎから送信されてきた各カメラ映像のカメラ映像表示画面への表示順番及び切り替え間隔時間などを設定した表示仕様データが格納される表示仕様データベース９と、この表示仕様データベース９に格納された表示仕様データに基づき各監視装置１〜１Ｎから送信されてきた複数個のカメラ映像をカメラ映像表示画面１８に、同時に、かつ、自動的に切り替えながら表示させる切り替える表示切り替え手段１０と、前記表示仕様データの表示順番及び切り替え間隔時間を変更させる操作手段１２とからなる構成により、達成できる。【選択図】図１
2005175701.tif 000002
【特許請求の範囲】
【請求項１】
顧客若しくはその顧客から施設や設備機器の監視を依頼された管理会社が使用する端末装置とこの端末装置に前記顧客から監視を依頼された監視現場を撮影して得られた映像を送信する複数個の監視装置とデータセンターとを少なくとも備え、これら前記監視装置と前記端末装置と前記データセンターを電気通信回線で接続して前記監視装置から前記端末装置に送信されてきた映像により前記施設の監視現場の状況及び前記施設内の設備機器の稼動状況を確認する遠隔映像監視システムにおいて、前記監視装置は、少なくとも、顧客の施設や設備機器を適宜に撮影して映像を得る監視カメラと、この監視カメラからから送信されてきた複数個のカメラ映像を受信しその受信した複数個のカメラ映像を端末装置及びデータセンターに送信する監視装置用データ送受信手段とからなり、しかも、前記端末装置は、少なくとも、端末本体と、前記監視装置から送信されてきた複数個のカメラ映像及びこれら複数個のカメラ映像の表示順番及び切り替え間隔時間を設定するものであって前記データセンターから送信されてきた表示仕様データを受信しその受信した前記カメラ映像及び前記表示仕様データを前記端末本体に送信する端末装置用データ送受信手段とからなると共に、前記端末本体は、少なくとも、表示設定画面とカメラ映像表示画面を表示する表示手段と、各監視装置から送信されてきた複数個のカメラ映像を、前記表示仕様データに基づいて前記カメラ映像表示画面に、同時に、かつ、自動的に切り替えながら表示させる表示切り替え手段と、前記表示仕様データの表示順番及び切り替え間隔時間を変更させる操作手段とからなることを特徴とする遠隔映像監視システム。
【請求項２】
前記表示手段のカメラ映像表示画面上で、任意に選択したカメラ映像を前記カメラ映像表示画面のカメラ映像表示欄に表示させること及び前記カメラ映像表示画面に表示される複数個のカメラ映像の表示順番及び切り替え間隔時間を、前記表示手段の表示設定画面上で、任意に設定することを特徴とする請求項１記載の遠隔映像監視システム。
【発明の詳細な説明】
【技術分野】
【０００１】
本発明は、鉄道駅舎やチェーン店の店舗といった遠隔地に監視対象の施設があり、その施設内の設備機器の稼動状況、例えば、鉄道駅舎では自動改札機の稼動状況あるいはチェーン店の店舗では自動ドアの稼動状況並びにその施設の監視現場の状況、例えば、鉄道駅舎ではホームの状況あるいはチェーン店の店舗では駐車場やレジの状況を、遠隔地にある拠点にて映像で監視するのに好適な遠隔映像監視システムに関するものである。
【背景技術】
【０００２】
この種の従来技術としては、複数箇所に設けた監視カメラにより撮影された映像を、マルチプレクサーを用いて時分割方式により監視室の１台のモニターに伝送し、そのモニターに複数個の映像を表示させるようにした遠隔映像監視システムが知られていた（例えば、特許文献１参照）。
【０００３】
さらに、複数箇所に設けた監視カメラにより撮影された映像を、ＩＮＳネット６４の２つのＢチャンネル回線を使用して監視室の１台のモニターに伝送し、そのモニターに複数個の映像を表示させるようにした遠隔映像監視システムが知られていた（例えば、特許文献２参照）。
【特許文献１】特開平８−２２５８６号公報（段落番号０００９〜００１０、図１）
【特許文献２】特開平１１−１２２３７０号号公報（段落番号０００４及び段落番号００１６、図１）
【発明の開示】
【発明が解決しようとする課題】
【０００４】
しかしながら、上述した特開平８−２２５８６号公報に記載の遠隔映像監視システムでは、監視室の１台のモニターに表示される映像の表示位置を変えるには、マルチプレクサーを操作して設定変更をしなければならないので、マルチプレクサーの設置場所に作業者が出向いてマルチプレクサーを操作して設定変更をする必要があった。ところが、マルチプレクサーは、監視室から離れた中継地点に設置されており、マルチプレクサーの設定変更作業を効率よく行うことができない。特に、監視対象の施設が遠隔地に点在していてマルチプレクサーが複数の中継地点に点在している場合には、マルチプレクサーの設定変更作業が多くなり、しかも、各中継地点に作業者が出向く必要があり、その設定変更作業の効率がより悪くなってしまうという問題がある。
【０００５】
また、上述した特開平１１−１２２３７０号公報に記載の遠隔映像監視システムでは、監視カメラにより撮影された映像を、ＩＮＳネット６４の２つのＢチャンネル回線を使用して監視室の１台のモニターに伝送するようにしているので、その１台のモニターと同時に接続できる監視現場の数が１個あるいは２個と限定されるため、前記モニターに接続されている監視現場とは異なる監視現場の監視カメラの映像を前記モニターに表示させたい場合には、Ｂチャンネル回線の接続先の変更作業をする必要があった。そのために、監視現場が遠隔地に点在している場合には、前記回線の接続先の変更作業が効率よく行われず、かつ、作業者の労力も甚大になってしまうという問題がある。
【０００６】
本発明は、上述した従来技術における実状からなされたもので、その目的は、作業者が遠隔地に出向いて設定変更作業や接続先の変更作業をすることなく、遠隔地に点在している複数個の監視現場に設置された監視カメラのカメラ映像を、顧客若しくは管理会社の端末装置の同一画面に表示することができ、しかも、端末装置の同一画面に表示した複数個のカメラ映像の表示順番及び切り替え間隔時間の設定を、端末装置にて難なく行うことのできる遠隔映像監視システムを提供することにある。
【課題を解決するための手段】
【０００７】
上記目的を達成するために、本発明は、顧客若しくはその顧客から施設や設備機器の監視を依頼された管理会社が使用する端末装置とこの端末装置に前記顧客から監視を依頼された監視現場を撮影して得られた映像を送信する複数個の監視装置とデータセンターとを少なくとも備え、これら前記監視装置と前記端末装置と前記データセンターを電気通信回線で接続して前記監視装置から前記端末装置に送信されてきた映像により前記施設の監視現場の状況及び前記施設内の設備機器の稼動状況を確認する遠隔映像監視システムにおいて、前記監視装置は、少なくとも顧客の施設や設備機器を適宜に撮影して映像を得る監視カメラと、この監視カメラからから送信されてきた複数個のカメラ映像を受信しその受信した複数個のカメラ映像を端末装置及びデータセンターに送信する監視装置用データ送受信手段とからなり、しかも、前記端末装置は、少なくとも、端末本体と、前記監視装置から送信されてきた複数個のカメラ映像及びこれら複数個のカメラ映像の表示順番及び切り替え間隔時間を設定するものであって前記データセンターから送信されてきた表示仕様データを受信しその受信した前記カメラ映像及び前記表示仕様データを前記端末本体に送信する端末装置用データ送受信手段とからなると共に、前記端末本体は、少なくとも、表示設定画面とカメラ映像表示画面を表示する表示手段と、各監視装置から送信されてきた複数個のカメラ映像を、前記表示仕様データに基づいて前記カメラ映像表示画面に、同時に、かつ、自動的に切り替えながら表示させる表示切り替え手段と、前記表示仕様データの表示順番及び切り替え間隔時間を変更させる操作手段とからなることを特徴としている。
【発明の効果】
【０００８】
本発明によれば、遠隔地に作業者が出向いて設定変更作業等を必要とすることなく、遠隔地にある顧客の施設やその施設の設備機器を撮影した複数個のカメラ映像を、顧客若しくは管理会社の端末装置のカメラ映像表示画面上に、予め設定した表示仕様データに基づき表示順番及び切り替え間隔時間で、同時に切り替え表示することができると共に、カメラ映像表示画面上に表示された複数個のカメラ映像の表示順番若しくは切り替え間隔を、簡単に変更させることができる遠隔映像監視システムが得られる。
【発明を実施するための最良の形態】
【０００９】
以下，本発明に係る遠隔映像監視システムの一実施形態を、図１から図４に基づいて説明する。図１に示す一実施形態の遠隔映像監視システムは、複数個の監視装置１〜１Ｎと、自動改札機等の設備機器を備えた鉄道駅舎等の施設を所有する鉄道会社や自動ドア等の設備機器を備えた店舗等の施設を所有する個人経営者等の顧客若しくはその顧客の施設や設備機器の監視・管理をその顧客から依頼された管理会社が使用する端末装置２と、データセンター３とを、少なくとも備えており、これら監視装置１〜１Ｎと端末装置２とデータセンター３を、インターネット等の電気通信回線４で接続するようにしている。
【００１０】
各監視装置１〜１Ｎは、顧客の施設やその施設の設備機器を監視するもであって、図１に示すように、少なくとも、監視カメラ５と監視装置用データ送受信手段６を、それぞれ有している。各監視装置１〜１Ｎの監視カメラ５は、いずれも、顧客の施設やその施設の設備機器を適宜に撮影して得られたカメラ映像を監視装置用データ送受信手段６に送信する機能を有している。監視装置用データ送受信手段６は、監視カメラ５から送信されてきたカメラ映像を受信し、その受信したカメラ映像を端末装置２及びデータセンター３に、電気通信回線４を介して送信する機能を有している。
【００１１】
顧客若しくは管理会社の端末装置２は、図１に示すように、端末本体７と端末装置用データ送受信手段８を、少なくとも有している。端末本体７は、表示仕様データベース９と表示切り替え手段１０と表示手段１１と操作手段１２とを、少なくとも有している。端末装置用データ送受信手段８は、各監視装置１〜１Ｎから送信されてきたカメラ映像やデータセンター３から送信されてきた表示仕様データを受信し、その受信したカメラ映像や表示仕様データを端末本体７に送信する機能を少なくとも有している。
【００１２】
表示手段１１は、後述する表示設定画面１７とカメラ映像表示画面１８を少なくとも表示する機能を有している。表示仕様データベース９は、各監視装置１〜１Ｎから送信されてきた各カメラ映像のカメラ映像表示画面１８への表示順番及び切り替え時間などを設定した表示仕様データが格納されている。表示切り替え手段１０は、表示仕様データベース９に格納された表示仕様データに基づき各監視装置１〜１Ｎから送信されてきた複数個のカメラ映像を順次取得してそれらカメラ映像をカメラ映像表示画面１８に、同時に、かつ、自動的に切り替えながら表示させる切り替える機能を少なくとも有している。操作手段１２は、表示仕様データベース９に格納された表示仕様データの表示順番及び切り替え間隔時間の変更を行う機能を少なくとも有している。
【００１３】
データセンター３は、図１に示すように、顧客データベース１３と顧客データ表示手段１４と顧客データ入力手段１５とデータセンター用送受信手段１６とを少なくとも有している。顧客データベース１３は、顧客データ、監視現場データ及び表示仕様データを、少なくとも格納する機能を有している。顧客データ表示手段１４は、顧客データベース１３に格納された顧客データ、監視現場データ及び表示仕様データを、少なくとも表示する機能を有している。顧客データ入力手段１５は、顧客データベース１３に格納されている顧客データ、監視現場データ及び表示仕様データの変更若しくは新規登録を行うものである。データセンター用送受信手段１６は、顧客データベース１３に格納されている顧客データ、監視現場データ若しくは表示仕様データを受信し、その受信した顧客データ、監視現場データ若しくは表示仕様データを、端末装置２に送信する機能を少なくとも有している。
【００１４】
端末装置２の表示手段１１に表示される表示設定画面１７は、各監視装置１〜１Ｎから送信されてきた各カメラ映像のカメラ映像表示画面１８への表示順番及び切り替え時間などの表示仕様データを設定し、その設定した表示仕様データを端末装置２の表示仕様データベース９及びデータセンター３の顧客データベース１３に登録格納させるのに使用する。その表示設定画面１７には、図２に示すように、各監視装置１〜１Ｎの各監視カメラ５の一覧表（以下、カメラ一覧表と称す）１７Ａと、カメラ映像の表示順一覧表１７Ｂと、追加釦部１７Ｃと、削除釦部１７Ｄと、表示切り替え間隔設定部１７Ｅと、登録釦部１７Ｆと、映像表示釦分７Ｇとが、少なくとも表示される。
【００１５】
カメラ一覧表１７Ａは、図２に示すように、監視する施設現場を表す各種の現場名を縦方向に並べると共に、それら現場名に対向させてそれら施設現場を各監視カメラ５により撮影して得られるカメラ映像の撮影箇所を表すカメラ名を縦方向に並べるようにしてある。表示順一覧表１７Ｂは、図２に示すように、表示順を示す項番Ｎｏに対向させて監視する施設現場を表す各種の現場名を縦方向に並べると共に、それら現場名に対向させてそれら施設現場を各監視カメラ５により撮影して得られるカメラ映像の撮影箇所を表すカメラ名を縦方向に並べるようにしてある。
【００１６】
表示設定画面１７の追加釦１７Ｃは、それをクリックすることで、一覧表１７Ａの中から選択した任意の現場名及びカメラ名を、表示順一覧表１７Ｂの選択した任意の場所に追加することができる機能を有している。表示設定画面１７の削除釦１７Ｄは、それをクリックすることで、表示順一覧表１７Ｂの選択した任意の現場名及びカメラ名を削除することができる機能を有している。表示設定画面１７の表示切り替え間隔設定部１７Ｅは、図３に示すカメラ映像表示画面１８に表示されるところの各監視装置１〜１Ｎから送信されてきたカメラ映像を、表示順一覧表１７Ｂに基づき、自動的に切り替える際の切り替え間隔時間を、適宜に設定して、その切り替え間隔時間を表示することができる機能を有している。表示設定画面１７の登録釦１７Ｆは、それをクリックすることで、表示順一覧表１７Ｂで設定されたカメラ映像の表示順及び表示切り替え間隔設定部１７Ｅで設定されたカメラ映像の切り替え間隔時間の内容に変更された表示仕様が、表示仕様データとして、端末装置２の表示仕様データベース９に登録格納させ、かつ、端末装置２の端末装置用データ送受信手段８により電気通信回線４を介してデータセンター３に送信されて顧客データベース１３に登録格納させることができる機能を有している。表示設定画面１７の映像表示釦分７Ｇは、それをクリックすることで、表示手段１１に表示されている表示設定画面１７をカメラ映像表示画面１８に切り替えられることができる機能を有している。
【００１７】
端末装置２の表示手段１１に表示されるカメラ映像表示画面１８は、各監視装置１〜１Ｎから送信されてきた複数個のカメラ映像を、同時に、切り替え表示するのに使用する。そのカメラ映像表示画面１８には、図３に示すように、カメラ映像表示欄１８Ａ−１、１８Ａ−２、１８Ａ−３、１８Ａ−４と、カメラ名称表示欄１８Ｂ−１、１８Ｂ−２、１８Ｂ−３、１８Ｂ−４と、拡大表示釦部１９Ａ−１、１９Ａ−２、１９Ａ−３、１９Ａ−４と、自動切り替え釦部２０と、切り替え停止釦部２１と、カメラ映像切り替え欄２２と、表示切り替え設定部２３と、前画面釦部２４と、次画面釦部２５とが、少なくとも表示される。カメラ映像切り替え欄２２は、現場名選択欄２２Ａと、カメラ名選択欄２２Ｂと、カメラ映像表示切り替え釦２２Ｃとからなっている。カメラ映像表示欄１８Ａ−１、１８Ａ−２、１８Ａ−３、１８Ａ−４には、各監視装置１〜１Ｎから送信されてきたカメラ映像が、同時に、表示される。
【００１８】
カメラ映像表示画面１８のカメラ名称表示欄１８Ｂ−１には、カメラ映像表示欄１８Ａ−１に表示されているカメラ映像を撮影した施設現場を表す現場名と施設現場の撮影箇所を表すカメラ名が表示される。カメラ映像表示画面１８のカメラ名称表示欄１８Ｂ−２には、カメラ映像表示欄１８Ａ−２に表示されているカメラ映像を撮影した施設現場を表す現場名と施設現場の撮影箇所を表すカメラ名が表示される。カメラ映像表示画面１８のカメラ名称表示欄１８Ｂ−３には、カメラ映像表示欄１８Ａ−３に表示されているカメラ映像を撮影した施設現場を表す現場名と施設現場の撮影箇所を表すカメラ名が表示される。カメラ映像表示画面１８のカメラ名称表示欄１８Ｂ−４には、カメラ映像表示欄１８Ａ−４に表示されているカメラ映像を撮影した施設現場を表す現場名と施設現場の撮影箇所を表すカメラ名が表示される。
【００１９】
カメラ映像表示画面１８の拡大表示釦部１９Ａ−１は、それをクリックすることで、カメラ映像表示欄１８Ａ−１に表示されているカメラ映像を適宜の大きさに拡大表示させる機能を有している。カメラ映像表示画面１８の拡大表示釦部１９Ａ−２は、それをクリックすることで、カメラ映像表示欄１８Ａ−２に表示されているカメラ映像を適宜の大きさに拡大表示させる機能を有している。カメラ映像表示画面１８の拡大表示釦部１９Ａ−３は、それをクリックすることで、カメラ映像表示欄１８Ａ−３に表示されているカメラ映像を適宜の大きさに拡大表示させる機能を有している。カメラ映像表示画面１８の拡大表示釦部１９Ａ−４は、それをクリックすることで、カメラ映像表示欄１８Ａ−４に表示されているカメラ映像を適宜の大きさに拡大表示させる機能を有している。カメラ映像表示欄１８Ａ−１、１８Ａ−２、１８Ａ−３、１８Ａ−４に表示されるカメラ映像の表示方式は、動画表示方式でもよいし、静止画の連続表示方式でもよい。
【００２０】
カメラ映像表示画面１８の自動切り替え釦部２０は、それをクリックすることで、カメラ映像表示画面１８のカメラ映像表示欄１８Ａ−１、１８Ａ−２、１８Ａ−３、１８Ａ−４に表示されるところの各監視装置１〜１Ｎから送信されてきたカメラ映像が、表示仕様データベース９に格納された表示仕様データの内容に基づき、自動的に、同時に切り替え表示させる機能を有している。カメラ映像表示画面１８の切り替え停止釦部２１は、それをクリックすることで、自動切り替え釦部２０によるカメラ映像の自動切り替え表示動作を停止させる機能を有している。
【００２１】
カメラ映像表示画面１８のカメラ映像切り替え欄２２の現場名選択欄２２Ａには、表示を希望するカメラ映像の現場名（カメラ映像の撮影した施設現場を表す現場名）を、任意に選択することができる。カメラ映像切り替え欄２２のカメラ名選択欄２２Ｂには、表示を希望するカメラ映像のカメラ名（カメラ映像の撮影した施設現場の撮影箇所を表すカメラ名）を、任意に選択することができる。カメラ映像切り替え欄２２のカメラ映像表示切り替え釦２２Ｃをクリックすることで、現場名選択欄２２Ａ及びカメラ名選択欄２２Ｂで選択されたカメラ映像が、カメラ映像表示画面１８のカメラ映像表示欄１８Ａ−１、１８Ａ−２、１８Ａ−３、１８Ａ−４に、強制的に表示せることができる。表示切り替え設定部２３は、それをクリックすることで、表示手段１１に表示されているカメラ映像表示画面１８を表示設定画面１７に切り替えさせる機能を有している。
【００２２】
上記実施形態の遠隔映像監視システムでは、操作手段１２を、表示手段１１に表示される表示設定画面１７の追加釦部１７Ｃと削除釦部１７Ｄと表示切り替え間隔設定部１７Ｅと登録釦部１７Ｆとによって構成させるようにしてある。
【００２３】
次に、表示手段１１のカメラ映像表示画面１８及び表示設定画面１７への表示方法の具体例を、図２及び図３に基づき説明する。
【００２４】
始めに、カメラ映像表示画面１８には、カメラ映像表示欄１８Ａ−１の位置に表示設定画面１７の表示順一覧表１７Ｂにおける項番１、項番５及び項番９に該当するカメラ映像が、カメラ映像表示欄１８Ａ−２の位置に表示設定画面１７の表示順一覧表１７Ｂにおける項番２、項番６及び項番１０に該当するカメラ映像が、カメラ映像表示欄１８Ａ−３の位置に表示設定画面１７の表示順一覧表１７Ｂにおける項番３、項番７及び項番１１に該当するカメラ映像が、カメラ映像表示欄１８Ａ−４の位置に表示設定画面１７の表示順一覧表１７Ｂにおける項番４、項番８及び項番１２に該当するカメラ映像が、それぞれ表示されるように表示仕様データを、表示設定画面１７で設定する。
【００２５】
次に、カメラ映像表示画面１８へのカメラ映像の表示順番は、カメラ映像表示欄１８Ａ−１には表示設定画面１７の表示順一覧表１７Ｂにおける項番１―項番５―項番９―項番１の表示順番で、カメラ映像表示欄１８Ａ−２には表示設定画面１７の表示順一覧表１７Ｂにおける項番２―項番６―項番１０―項番２の表示順番で、カメラ映像表示欄１８Ａ−３には表示設定画面１７の表示順一覧表１７Ｂにおける項番３―項番７―項番１１―項番３の表示順番で、カメラ映像表示欄１８Ａ−４には表示設定画面１７の表示順一覧表１７Ｂにおける項番４―項番８―項番１２―項番４の表示順番で、それぞれ表示されるように表示仕様データを、表示設定画面１７で設定する。
【００２６】
さらに、表示切り替え間隔設定部１７Ｅをクリックしてカメラ映像表示欄１８Ａ−１、１８Ａ−２、１８Ａ−３、１８Ａ−４のカメラ映像の切り替え間隔時間を設定することによって、その切り替え間隔時間でカメラ映像の切り替えが行われるように、表示仕様データを表示設定画面１７で設定する。
【００２７】
さらに、顧客若しくは管理会社が任意に選択した撮影箇所のカメラ映像を、端末装置２のカメラ映像表示画面１８に表示させたい場合には、次のようにすればよい。
【００２８】
すなわち、たとえば、表示設定画面１７の表示順一覧表１７Ｂが図２のように設定されている状態で、カメラ映像表示画面１８のカメラ映像切り替え欄２２の現場名選択欄２２Ａに「△△△店」を、かつ、カメラ名選択欄２２Ｂに「駐車場」をそれぞれ選択して、カメラ映像表示切り替え釦２２Ｃをクリックすれば、カメラ映像表示欄１８Ａ−１には表示順一覧表１７Ｂの項番１のカメラ映像が項番５のカメラ映像に、カメラ映像表示欄１８Ａ−２には表示順一覧表１７Ｂの項番２のカメラ映像が項番６のカメラ映像に、カメラ映像表示欄１８Ａ−３には表示順一覧表１７Ｂの項番３のカメラ映像が項番７のカメラ映像に、カメラ映像表示欄１８Ａ−４には表示順一覧表１７Ｂの項番４のカメラ映像が項番８のカメラ映像に、それぞれ、強制的に切り替わって同時に表示される。
【００２９】
上記一実施形態からなる遠隔映像監視システムの動作を、図４に基づき、次に、詳説する。
【００３０】
まず、データセンター３への認証作業が完了して、ステップＳ１のごとく、遠隔映像監視システムが起動すると、顧客若しくは管理会社の端末装置２の端末装置用データ送受信手段８からデータセンター３に対して、ステップＳ２のごとく、表示仕様データの取得要求が行われる。すなわち、表示仕様データの取得要求信号Ｐ１は、端末装置用データ送受信手段８からデータセンター用送受信手段１６に送信される。
【００３１】
次に、データセンター３では、ステップＳ３のごとく、顧客若しくは管理会社の端末装置２側からの表示仕様データの取得要求を受信すると、データセンター３の顧客データベース１３の中から該当する表示仕様データＤ１を検索して、ステップＳ４のごとく、該当する表示仕様データＤ１を顧客若しくは管理会社の端末装置２に送信する。すなわち、表示仕様データＤ１は、データセンター用送受信手段１６から端末装置用データ送受信手段８に送信される。
【００３２】
次に、顧客若しくは管理会社の端末装置２側で、ステップＳ５のごとく、表示仕様データＤ１を受信すると、端末装置２の表示仕様データベース９に表示仕様データＤ１が、ステップＳ６のごとく、格納される。
【００３３】
次に、表示仕様データＤ１に基づきカメラ映像を取得すべき監視現場を、ステップＳ７のごとく、選定した後、監視装置１〜１Ｎのうち、選定した監視現場を監視・管理している監視装置に対して、ステップＳ８のごとく、カメラ映像の取得要求を行う。すなわち、カメラ映像の取得要求信号Ｐ２は、端末装置用データ送受信手段８から電気通信回線４を介して選定した監視現場を監視・管理している監視装置の監視装置用データ送受信手段６に送信される。
【００３４】
次に、監視装置１〜１Ｎのうち、選定した監視現場を監視・管理している監視装置が、カメラ映像の取得要求信号Ｐ２を、ステップＳ９のごとく、受信すると、その監視装置から複数個のカメラ映像Ｋ１が顧客若しくは管理会社の端末装置２に対して、ステップＳ１０のごとく、送信される。すなわち、複数個のカメラ映像Ｋ１は、監視装置用データ送受信手段６から電気通信回線４を介して顧客若しくは管理会社の端末装置２の端末装置用データ送受信手段８に送信される。
【００３５】
次に、顧客若しくは管理会社の端末装置２で、複数個のカメラ映像Ｋ１をステップＳ１１のごとく受信すると、その複数個のカメラ映像Ｋ１は端末装置用データ送受信手段８を介して表示手段１１に送信されて、その表示手段１１のカメラ映像表示画面１８に、ステップＳ１２のごとく、表示仕様データＤ１に基づき、同時に、かつ、自動的に、切り替えられながら、表示される。
【００３６】
次に、ステップＳ１２が終了後、遠隔映像監視システムを終了させるか否かを、ステップＳ１３のごとく、判断して、終了させる場合には、そのまま遠隔映像監視システムを終了させる。また、遠隔映像監視システムを終了させずに、カメラ映像表示画面１８のカメラ映像表示欄１８Ａ−１、１８Ａ−２、１８Ａ−３、１８Ａ−４に表示される複数個のカメラ映像を、表示仕様データＤ１に基づく自動表示ではなく、顧客若しくは管理会社が、任意に選択したカメラ映像を、カメラ映像表示欄１８Ａ−１、１８Ａ−２、１８Ａ−３、１８Ａ−４に表示させたい場合には、図４に示すステップＳ１４に進ませる。
【００３７】
次に、ステップＳ１４において、カメラ映像切り替え欄２２の現場名選択欄２２Ａで監視現場を、かつ、カメラ映像切り替え欄２２のカメラ名選択欄２２Ｂで監視現場の撮影箇所を、それぞれ任意に選択した後、カメラ映像切り替え欄２２のカメラ映像表示切り替え釦２２Ｃをクリックすると、ステップＳ７〜ステップＳ１２の動作が行われて、カメラ映像表示画面１８のカメラ映像表示欄１８Ａ−１、１８Ａ−２、１８Ａ−３、１８Ａ−４に表示されるカメラ映像が、任意に選択した撮影箇所のカメラ映像に、強制的に切り替えられる。ステップＳ１４において、カメラ映像切り替え欄２２の現場名選択欄２２Ａで監視現場を、かつ、カメラ映像切り替え欄２２のカメラ名選択欄２２Ｂで監視現場の撮影箇所を、それぞれ任意に選択しない場合には、ステップＳ１５に進み、カメラ映像表示欄１８Ａ−１、１８Ａ−２、１８Ａ−３、１８Ａ−４に表示されるカメラ映像が、自動切り替えであるか否かが判断される。
【００３８】
次に、ステップＳ１５において、カメラ映像が自動切り替えである場合には、ステップＳ７〜ステップＳ１２の動作が行われて、表示仕様データＤ１に基づく表示順番及び切り替え間隔時間で、カメラ映像表示欄１８Ａ−１、１８Ａ−２、１８Ａ−３、１８Ａ−４のそれぞれに表示されたカメラ映像が、同時に、かつ、自動的に、切り替わって表示される。そして、ステップＳ１５において、カメラ映像が自動切り替えでない場合には、カメラ映像表示切り替え釦２２Ｃあるいは自動切り替え釦部２０をクリックするまでは、カメラ映像表示欄１８Ａ−１、１８Ａ−２、１８Ａ−３、１８Ａ−４に表示中のカメラ映像が、そのまま続けて表示される。
【００３９】
以上のように、上記一実施形態の遠隔映像監視システムによれば、遠隔地にある顧客の施設やその施設の設備機器を撮影した複数個のカメラ映像を、監視装置１〜１Ｎから電気通信回線４を介して自動的に取得して、顧客若しくは管理会社の端末装置２のカメラ映像表示画面１８に表示させ、そのカメラ映像表示画面１８に表示された複数個のカメラ映像を、予め設定した表示仕様データに基づき表示順番及び切り替え間隔時間で、同時に、かつ、自動的に切り替わりながら表示することができる。
【００４０】
さらに、カメラ映像表示画面１８に表示された複数個のカメラ映像の表示順番若しくは切り替え間隔時間を、顧客若しくは管理会社の希望等により変更するには、表示設定画面１７を表示して、表示設定画面１７の追加釦部１７Ｃ、削除釦部１７Ｄ若しくは表示切り替え間隔設定部１７Ｅをクリックすることにより、顧客若しくは管理会社が希望する表示順番若しくは切り替え間隔時間となるように表示仕様データを変更すればよい。変更した表示順番は、メラ映像の表示順一覧表１７Ｂで、かつ、変更した切り替え間隔時間は、表示切り替え間隔設定部１７Ｅで、それぞれ確認することができる。また、その変更した表示仕様データは、表示設定画面１７の登録釦１７Ｆをクリックすることで、端末装置２の表示仕様データベース９及びデータセンター３の顧客データベース１３に格納される。したがって、表示設定画面１７からカメラ映像表示画面１８に切り替えて、そのカメラ映像表示画面１８の自動切り替え釦部２０をクリックすることで、その変更した表示仕様データの内容に基づき、カメラ映像表示画面１８のカメラ映像表示欄１８Ａ−１、１８Ａ−２、１８Ａ−３、１８Ａ−４に、各監視装置１〜１Ｎから送信されてきた複数個のカメラ映像が、同時に、かつ、自動的に切り替えて表示させることができる。
【００４１】
さらに、カメラ映像表示画面１８において、カメラ映像切り替え欄２２の現場名選択欄２２Ａで監視現場を、かつ、カメラ映像切り替え欄２２のカメラ名選択欄２２Ｂで監視現場の撮影箇所を、それぞれ任意に選択した後、カメラ映像切り替え欄２２のカメラ映像表示切り替え釦２２Ｃをクリックすることで、任意に選択した撮影箇所のカメラ映像を、端末装置２のカメラ映像表示画面１８に表示することができる。したがって、顧客若しくは管理会社は、従来のように、遠隔地に作業者が出向いて設定変更作業等を必要とすることなく、端末装置２において、確認したい監視現場のカメラ映像を、簡単に見ることができ、便利である。
【００４２】
上記一実施形態の遠隔映像監視システムでは、端末装置２の表示設定画面１７とカメラ映像表示画面１８は、表示切り替え構造としているが、これに限定されない。表示設定画面１７とカメラ映像表示画面１８を、同時に表示する構造にしてもよい。
【図面の簡単な説明】
【００４３】
【図１】本発明の一実施形態を示し、遠隔映像監視システムの機能ブロック図である。
【図２】本発明の一実施形態を示し、端末装置の表示設定画面の説明図である。
【図３】本発明の一実施形態を示し、端末装置のカメラ映像表示画面の説明図である。
【図４】本発明の一実施形態を示し、遠隔映像監視システムの動作フロー図である。
【符号の説明】
【００４４】
１〜１Ｎ    監視装置
２    端末装置
３    データセンター
４    電気通信回線
５    監視カメラ
６    監視装置用データ送受信手段
７    端末本体
８    端末装置用データ送受信手段
９    表示仕様データベース
１０  表示切り替え手段
１１  表示手段
１２  操作手段
１７  表示設定画面
１７Ａ  カメラ一覧表
１７Ｂ  カメラ映像の表示順一覧表
１７Ｃ  追加釦部
１７Ｄ  削除釦部
１７Ｅ  表示切り替え間隔設定部
１７Ｆ  登録釦部
１８  カメラ映像表示画面
１８Ａ−１〜１８Ａ−４  カメラ映像表示欄
１８Ｂ−１〜１８Ｂ−４  カメラ名称表示欄
２２  カメラ映像切り替え欄
２２Ａ  現場名選択欄
２２Ｂ  カメラ名選択欄
２２Ｃ  カメラ映像表示切り替え釦
【図１】
2005175701.tif 000003
【図２】
2005175701.tif 000004
【図３】
2005175701.tif 000005
【図４】
2005175701.tif 000006